(57)【要約】【課題】トルクセンサ、デジタル表示などの手段を用い、ユーザに出力値を知らせて警告する倍力装置を提供する。【解決手段】倍力装置は、入力端２０と、出力端３０と、入力端２０と出力端３０との間に取り付けて入力端２０の低トルクを出力端３０の高トルクへ変換するトルク増強機構４０とを備える。トルク増強機構４０と出力端３０との間にトルクセンサ５０を取り付ける。トルクセンサ５０から無線伝送された出力端３０のトルク値を表示装置６０によりデジタル表示する。出力端３０は、出力杆３１の一端に設けられ、出力杆３１の他端がトルク増強機構４０に接続される。トルクセンサ５０は、出力杆３１の外側へ固着される筐体５１と、筐体５１内に配設され、表面に電子回路がレイアウトされた基板と、出力杆３１の表面に付着されて基板と電気的に接続されたセンサ部材と、基板と電気的に接続されて信号を無線伝送する発射ユニット５５とを含む。【選択図】図２
0003187537.tif 000002
【実用新案登録請求の範囲】
【請求項１】
入力端と、出力端と、前記入力端と前記出力端との間に取り付けて前記入力端の低トルクを前記出力端の高トルクへ変換するトルク増強機構と、を備え、
前記トルク増強機構と前記出力端との間にトルクセンサを取り付け、
前記トルクセンサから無線伝送された前記出力端のトルク値を表示装置によりデジタル表示することを特徴とする倍力装置。
【請求項２】
前記出力端は、出力杆の一端に設けられ、前記出力杆の他端が前記トルク増強機構に接続され、
前記トルクセンサは、前記出力杆の外側へ固着される筐体と、前記筐体内に配設され、表面に電子回路がレイアウトされた基板と、前記出力杆の表面に付着されて基板と電気的に接続されたセンサ部材と、前記基板と電気的に接続されて信号を無線伝送する発射ユニットと、を含み、
前記表示装置は、前記発射ユニットにより信号を無線伝送する受信ユニットと、トルク値をデジタル表示する表示パネルと、を有することを特徴とする請求項１に記載の倍力装置。
【請求項３】
前記表示装置は、トルク値の単位を選択するのに用いる押ボタンと、音声ユニットと、を含むことを特徴とする請求項２に記載の倍力装置。
【考案の詳細な説明】
【技術分野】
【０００１】
本考案は、工具に加える力を増強させる技術に関し、特に、出力値を表示する機能を備えた倍力装置に関する。
【背景技術】
【０００２】
一般に独立した２つの部材を結合させて所望の物体を形成するには、手動、電動又はエアポンプ工具によりワークを締め付けたり緩めたりして螺着させる。
【０００３】
しかし、手動工具に力を加える際、構造強度に必要な締付け力を得ることができないことが往々にしてあるため、機械エネルギの補助により結合作業を行い、加える力を容易に増強することができる倍力装置が開発されている。
【０００４】
従来の倍力装置の構造は、例えば、特許文献１〜９において開示されている。
【０００５】
それら倍力装置の外側又は操作マニュアルには、５：１、１５：１などの出力比が記載され、入力端から伝えられた低トルクがトルク増強機構に達すると、高トルクへ増強されて出力端から出力される。しかし低トルクから高トルクへ変換する際、機械磨耗などの影響により力の一部が失われ、実際の高トルクと前述の出力比とに相違が生じることがありその場合でも警告が発せられることがない。そのため、ユーザは実際の出力値が分からず、物体の構造強度が基準レベルに達したと勘違いし、購入した消費者の安全を脅かして最悪の場合生命に危険が及ぶ虞もあり、改良の必要があった。
【０００６】
そのため、従来技術の問題点を改善するために、出力値を表示する機能を備えた倍力装置が求められていた。
【先行技術文献】
【特許文献】
【０００７】
【特許文献１】米国特許第３８６１２４４号明細書
【特許文献２】米国特許第５１７６０４７号明細書
【特許文献３】米国特許第５６１６０９５号明細書
【特許文献４】米国特許第６０１２３５９号明細書
【特許文献５】米国特許第６７４２４１７号明細書
【特許文献６】米国特許第６８１０５７１号明細書
【特許文献７】米国特許第７２８４４６３号明細書
【特許文献８】台湾特許第１９５２５８号公告
【特許文献９】台湾実用新案登録第３８６１４３号公告
【考案の概要】
【考案が解決しようとする課題】
【０００８】
本考案は、トルクセンサ、デジタル表示などの手段を用い、ユーザに出力値を知らせて警告する倍力装置を提供することにある。
【課題を解決するための手段】
【０００９】
上記課題を解決するために、本考案の第１の形態によれば、入力端と、出力端と、前記入力端と前記出力端との間に取り付けて前記入力端の低トルクを前記出力端の高トルクへ変換するトルク増強機構と、を備え、前記トルク増強機構と前記出力端との間にトルクセンサを取り付け、前記トルクセンサから無線伝送された前記出力端のトルク値を表示装置によりデジタル表示することを特徴とする倍力装置が提供される。
【００１０】
前記出力端は、出力杆の一端に設けられ、前記出力杆の他端が前記トルク増強機構に接続され、前記トルクセンサは、前記出力杆の外側へ固着される筐体と、前記筐体内に配設され、表面に電子回路がレイアウトされた基板と、前記出力杆の表面に付着されて基板と電気的に接続されたセンサ部材と、前記基板と電気的に接続されて信号を無線伝送する発射ユニットと、を含み、前記表示装置は、前記発射ユニットにより信号を無線伝送する受信ユニットと、トルク値をデジタル表示する表示パネルと、を有することが好ましい。
【００１１】
前記表示装置は、トルク値の単位を選択するのに用いる押ボタンと、音声ユニットと、を含むことが好ましい。
【考案の効果】
【００１２】
本考案の倍力装置は、トルクセンサ、デジタル表示などの手段を用い、ユーザに出力値を知らせて警告する。
【図面の簡単な説明】
【００１３】
【図１】本考案の一実施形態に係る倍力装置を示す平面図である。
【図２】本考案の一実施形態に係る倍力装置へ反作用部材を堅固に固定し、使用する際、表示装置により出力値を表示するときの状態を示す平面図である。
【図３】本考案の一実施形態に係る倍力装置とトルクセンサとの結合関係を示す平面図である。
【考案を実施するための形態】
【００１４】
以下、本考案の倍力装置について、図面を参照しながら説明する。
【００１５】
図１を参照する。図１に示すように、本考案の一実施形態に係る倍力装置１０の両端のうちの一端を凹溝又は孔部に形成して工具を内嵌させる入力端２０として用い、他端を突出した多辺形に形成して工具内へ挿入する出力端３０として用い、倍力装置１０内の入力端２０と出力端３０との間にトルク増強機構４０を設ける。
【００１６】
本実施形態の出力端３０は、多辺形状であり、出力杆３１の一端に形成される。出力杆３１は所定の長さを有し、他端がトルク増強機構４０に接続され、トルク増強機構４０と出力端３０との間のシャフトにトルクセンサ５０が取り付けられる。
【００１７】
トルク増強機構４０には、従来の一機構を用いてもよい。例えば、入力端２０には軸を接続し、軸胴体に太陽歯車を結合し、その周りに多数の遊星歯車が噛合され、周設されたリングギアによりこれら遊星歯車が太陽歯車の周りで回転することを制限し、出力端３０から高トルクを出力する。また、リングギアは、高・低トルクの変換をスムーズに行うことができるように、動かないように堅固に固定し、反作用部材により安定させる。この反作用部材は、倍力装置１０の外側へ回転しないように接続され、倍力装置１０の外表面に握持部材（図示せず）を一体成形し、人力を利用して握持部材からの反作用力により倍力装置１０が動かない状態に維持する。
【００１８】
図２を参照する。図２に示すように、この反作用部材は、物体１３又は地面へ締め付ける固定部１２を有する反作用アーム１１と、出力杆３１へ外嵌して外筐１６の底面へ当接させる載置部１４と、を有し、連結装置１５により位置決めされる。
【００１９】
倍力装置１０の入力端２０にレンチ２１の駆動部２２を内嵌させ、出力端３０をスリーブ２３内へ深く挿入させると、締め付けたり緩めたりする際、物体１３へ反作用力が加わるとともに、倍力装置１０が動かないように静止され、トルク増強機構４０により高、低トルクの変換をスムーズに行うことができる。
【００２０】
図２及び図３を参照する。図２及び図３に示すように、トルクセンサ５０は、出力杆３１の外部に固着された筐体５１と、筐体５１内に配設された基板５２と、電池５３、センサ部材５４、発射ユニット５５及びスイッチ５６と電気的に接続されて基板５２に設けられた電子回路と、を含む。電池５３は、トルクセンサ５０に必要な電力を供給し、センサ部材５４は、出力杆３１の表面に付着され、シャフトに感応して信号を生成させる。基板５２は、ロジック演算を介してフィードバックを行い、発射ユニット５５により表示装置６０へ信号を無線送信する。
【００２１】
図２及び図３に示すように、本実施形態の表示装置６０は、磁気吸引、螺着、掛止固定などの方式のうちの一つを利用し、倍力装置１０に隣接した物体１３上に接続され、集積回路レイアウトにより受信ユニット６１、表示パネル６２、３つの押ボタン６３及び音声ユニット６４と電気的に接続され、発射ユニット５５からの信号を受信ユニット６１により受信し、表示パネル６２により出力端３０のトルク値をデジタル化して表示し、押ボタン６３によりＮ．ｍ、ｆｔ−ｌｂｓ、ｉｎ−ｌｂｓ、ｋｇｆ−ｍなどの単位を選択したり、電力供給を止めたりするとともに、音声ユニット６４により音声を発してユーザに知らせる。
【００２２】
上述したことから分かるように、本考案の倍力装置は、入力端の低トルクを出力端の高トルクへ変換するため、ユーザは、わざわざ頭を下げて見なくても倍力装置近くの表示装置により現時点の出力値を知ることができ、締め付けすぎて構造を破壊することを防いだり、構造が弱くなって必要な負荷に耐えられなくなったりすることを防いだりすることができる上、音声を発して知らせたり、警告を行ったりすることができる。
【００２３】
当該分野の技術を熟知するものが理解できるように、本考案の好適な実施形態を前述の通り開示したが、これらは決して本考案を限定するものではない。本考案の主旨と領域を逸脱しない範囲内で各種の変更や修正を加えることができる。従って、本考案の実用新案登録請求の範囲は、このような変更や修正を含めて広く解釈されるべきである。
【符号の説明】
【００２４】
１０  倍力装置
１１  反作用アーム
１２  固定部
１３  物体
１４  載置部
１５  連結装置
１６  外筐
２０  入力端
２１  レンチ
２２  駆動部
２３  スリーブ
３０  出力端
３１  出力杆
４０  トルク増強機構
５０  トルクセンサ
５１  筐体
５２  基板
５３  電池
５４  センサ部材
５５  発射ユニット
５６  スイッチ
６０  表示装置
６１  受信ユニット
６２  表示パネル
６３  押ボタン
６４  音声ユニット
【図１】
0003187537.tif 000003
【図２】
0003187537.tif 000004
【図３】
0003187537.tif 000005